(57)【要約】【課題】一種の掛け金具を提供する。【解決手段】保持装置５０を有し、一端は管部材を締め付ける。掛け金具１０の両端にそれぞれ掛け部１１、１１を形成し、該掛け金具両端の間に枢着部１３を有し、該掛け金具１０の枢着部１３は該保持装置５０が管部材の反対端に枢設する。２つの摺動部材２０、２０には、それぞれ摺動溝を２１、２１設け、前記２つの摺動部材２０、２０を該掛け金具１０両端の掛け部１１、１１にそれぞれ差し込んで固定する。前記２つの摺動部材２０、２０には、２つのフック３０、３０をそれぞれ枢設し、かつ該フック３０、３０は該摺動部材２０、２０の摺動溝２１、２１の一端に設ける。【選択図】図２
0003149715.tif 000002
【実用新案登録請求の範囲】
【請求項１】
掛け金具において、
保持装置を有し、その一端は棒体に結合でき、
該掛け金具の両端にそれぞれ掛け部を形成するとともに、該掛け金具両端の間に枢着部を設け、該掛け金具の枢着部は該保持装置の棒体の反対端に枢設し、
２つの摺動部材を有し、当該摺動部材には摺動溝を設け、該摺動部材の摺動溝は該掛け金具に滑り込んで固定し、かつ位置を限定した摺動関係を形成し、
２つのフックを有し、該フックの一端は該摺動部材に備える該摺動溝の反対端に枢設し、かつ相対的な枢動関係を形成することを特徴とする、掛け金具。
【請求項２】
該掛け金具両端の端部の付近場所には接続孔をそれぞれ設け、該接続孔はフック装置の取り付けに適し、該フック装置は自転車ハンドルの両端を掴み、該フック装置はベルトと、一つ以上のフィンガーと、一つの締め付けリングとを含み、該ベルトは該掛け金具の接続孔を通り、該ベルト両端は該締め付けリングを通り、該フィンガーは該ベルトの末端にそれぞれ結合し、該掛け金具両端の付近場所には阻止部をそれぞれ設け、該接続孔は該阻止部と端部との間に設け、該枢着部は第２枢支孔と第２円弧孔を有し、該保持装置は該第２枢支孔と該第２円弧孔に合わせて、結合孔と固定突起部を設け、該掛け金具は該保持装置の反対端に第２ツマミを設け、該第２ツマミは該第２枢支孔を通り、該結合孔にねじ接続し、該固定突起部は、該第２円弧孔に設けることを特徴とする、請求項１記載の掛け金具。
【請求項３】
該摺動部材は、該摺動溝を離れる一端に該フックを枢設するための収容溝を設け、該収容溝は枢動スペースを有し、該枢動スペースの両側に摺動部材をあてがうためのあてがい面をそれぞれ形成し、該摺動溝は横方向に貫通した開放の蓋状を形成し、該収容溝は同じ水平位置において異なる横方向位置に形成し、かつ該収容溝と該収容溝は接続せず、該摺動部材は該収容溝を離れる面に遮蔽蓋を有し、該摺動溝は枢支部と延伸部を有し、該延伸部は摺動部の一端より延ばし、該掛け金具は該摺動部を通り、該延伸部のスペースは掛け金具の厚みより薄く設け、該収容溝の底面に複数の凹み溝をあけ、該凹み溝の幅は該フックの幅より小さく設け、該摺動部材は第１経路と第２経路を有し、当該２つの経路は該摺動溝と該収容溝を貫通し、該第２経路は該第１経路の下部に設け、該フックは該第１経路と該第２経路に合わせて、第１枢支孔と第１円弧孔をそれぞれ設け、かつ該第１経路と第２経路に第１ツマミと第１固定部材を通し、該掛け金具両端の付近場所部に阻止部をそれぞれ設け、該枢着部は第２枢支孔と第２円弧孔を有し、該保持装置は該第２枢支孔と該第２円弧孔に合わせて、結合孔と固定突起部を設け、該掛け金具は該保持装置の反対端に第２ツマミを設け、該第２ツマミ２は該第２枢支孔を通って該結合孔とねじ込み接続し、該固定突起部は該第２円弧孔に設けることを特徴とする、請求項１記載の掛け金具。
【考案の詳細な説明】
【技術分野】
【０００１】
本考案は掛け金具に係り、特に一種の摺動部材を掛け金具にて摺動自在に取り付け、溝孔の制限を受けない掛け金具に関する。
【背景技術】
【０００２】
図９ないし１０に、先行技術による掛け金具の構造態様図を示す。先行技術による掛け金具は、掛け金具１００の両端にそれぞれ横方向の溝孔１０１をあけ、２つのフック１０２を両端の溝孔１０１にそれぞれ取り付け、フック１０２の一端に経路を有し、ボルト１０３によってフック１０２の経路を経て、掛け金具１００の溝孔１０１を通した後にナットをねじ込み接続し、フック１０２と掛け金具１００と結合することにより、フック１０２が掛け金具１００の溝孔１０１において摺動し、ボルト１０３の緩さときつさに従って枢動する。両端の間は、保持装置１０４によって管部材（符号せず）に結合する。
【考案の概要】
【考案が解決しようとする課題】
【０００３】
先行技術による掛け金具１００は溝孔１０１を有し、フック１０２が溝孔１０１にて摺動できるような構造である。しかしながら、掛け金具１００に溝孔１０１をあけることにより、掛け金具１００の構造強度が不足になり、かつフック１０２は溝孔１０１内での摺動が制限される。一方、溝孔１０１を長く設けることは、構造強度に影響を与えかねない。さらに、溝孔１０１を短く設けることは、フック１０２の摺動位置が制限されるなど、非常に悩ましい課題であった。それに伴い、フック１０２はボルト１０３により溝孔１０１に通しているため、フック１０２の枢動が順調に行えないばかりでなく、フック１０２の枢動も溝孔１０１の影響を受ける。よって、前記した課題を至急に改良する必要がある。
【０００４】
そこで、本考案は前記した技術課題に対して、一種の掛け金具を提供する。即ち、該摺動部材は、掛け金具上に適切な掛け位置を自在に調節でき、摺動部材は溝孔の制限を受けず、さらに、吊り金物の構造強度を向上できる、一種の掛け金具を提供することが本考案の主な目的である。
【０００５】
たとえば自転車ハンドルの両側を掴み、自転車フレームの縦パイプを自由に回転させないように固定するフック装置を提供することが本考案の次の目的である。
【課題を解決するための手段】
【０００６】
上記課題を解決するために、本考案は、掛け金具であって、保持装置を有し、その一端は棒体に結合でき、該掛け金具の両端にそれぞれ掛け部を形成するとともに、該掛け金具両端の間に枢着部を設け、該掛け金具の枢着部は該保持装置の棒体の反対端に枢設し、２つの摺動部材を有し、当該摺動部材には摺動溝を設け、該摺動部材の摺動溝は該掛け金具に滑り込んで固定し、かつ位置を限定した摺動関係を形成し、２つのフックを有し、該フックの一端は該摺動部材に備える該摺動溝の反対端に枢設し、かつ相対的な枢動関係を形成することを特徴とする掛け金具である。
【考案の効果】
【０００７】
＜イ＞本考案による掛け金具の摺動部材は、掛け金具上に適切な掛け位置を自在に調節でき、摺動部材は溝孔の制限を受けない。さらに、掛け金具の構造強度を向上できる。
＜ロ＞本考案による掛け金具のフック装置は、たとえば自転車ハンドルの両側を掴み、自転車フレームの縦パイプを自由に回転させないように固定できる。
【図面の簡単な説明】
【０００８】
【図１】本考案による掛け金具を示す立体外観図である。
【図２】本考案による掛け金具を示す立体分解図である。
【図３】本考案による図１に示す３ー３断面線に沿った断面概略図である。
【図４】本考案による図１に示す４ー４断面線に沿った断面概略図である。
【図５】本考案による図１に示す５ー５断面線に沿った断面概略図であり、摺動溝材の作動態様を示す。
【図６】本考案による掛け金具の作動態様図である。
【図７】本考案による掛け金具の作動態様図である。
【図８】本考案による掛け金具の使用態様図である。
【図９】先行技術による掛け金具の構造を示す態様図である。
【図１０】先行技術による掛け金具の構造を示す態様図である。
【考案を実施するための形態】
【０００９】
図１に本考案による立体外観図を示す。図示の通り、本考案による掛け金具は掛け金具１０と、２つの摺動部材２０、２つのフック３０および一つのフック装置４０を含む。掛け金具１０は管部材に結合し、２つの摺動部材２０はそれぞれ掛け金具１０の両端に調節可能で摺動自在に取り付け、フック３０は摺動部材２０に枢設し、自転車のフレームを掛け、フック装置４０はハンドルの両側を自転車フレームの縦パイプに固定する。
【００１０】
図２ないし４に、本考案による立体分解図と断面視図を示す。該掛け金具１０の両端には掛け部１１をそれぞれ形成し、掛け金具１０両端の間には枢着部１３を形成し、掛け金具１０の枢着部１３は保持装置５０に枢設し、保持装置５０は、掛け金具１０を離れる一端に棒体を締付けることができる。掛け金具１０の両端には端部の付近場所にそれぞれ阻止部１１１を突き出して設け、両端の阻止部１１１と端部の間には、さらに接続孔１４を設ける。該枢着部１３は枢支孔１３１と円弧孔１３２を有し、該保持装置５０の一端は棒体を締付けることができ、他端は結合孔５１と固定突起部５２を有し、保持装置５０は掛け金具１０の一端にツマミ５３を設け、該ツマミ５３は枢支孔１３１を通って結合孔５１にねじ接続し、該固定突起部５２を該円弧孔１３２に設けることにより、掛け金具１０の旋転は該固定突起部５２に制限される。
【００１１】
２つの摺動部材２０は、それぞれ該掛け金具１０両端の掛け金具１１に滑り込んで固定する。該摺動部材２０は摺動溝２１を有し、該摺動溝２１は掛け金具１０の掛け部１１の通しに備え、該摺動溝２１の横方向は貫通し開放状を形成して、摺動溝２１は摺動部２１１と延伸部２１２を有し、延伸部２１２は摺動部２１１の一端に延ばし、掛け金具１０が摺動部２１１を通った後、該摺動部２１１は延伸部２１２反対端の壁表面にあてがい、延伸部２１２のスペースは掛け金具１０より薄いため、掛け金具１０の縦方向は摺動溝２１によって制限される。
【００１２】
図５を合わせて参照する。摺動部材２０の摺動溝２１を離れる端はフック３０を枢設し、該摺動部材２０には該フック３０に合わせて収容溝２２を設け、収容溝２２と摺動溝２１は、それぞれ異なる横方向の場所に設け、かつ収容溝２２と摺動溝２１は接続されない。該収容溝２２は枢動スペース２３を有し、該枢動スペース２３は摺動部材２０両側に突き合わせ面２３１をそれぞれ形成し、フック３０の枢動スペース２３における枢動角度を制限する。該収容溝２２の底面には複数の凹み溝２３２をあけ、凹み溝２３２の幅はフック３０の幅を下回らない。
【００１３】
該摺動部材２０は、第１経路２４を有し、該第１経路２４は摺動溝２１と収容溝２２とを貫通する。収容溝２２は摺動溝２１の反対面にねじ込み接続部２４１を形成し、該第１経路２４の下部はさらに第２経路２５を有し、該第２経路２５は摺動溝２１と摺動溝２２を貫通する。該摺動部材２０は摺動溝２１の反対面に遮蔽蓋２６を有し、第１経路２４と第２経路２５を遮る。摺動部材２０は遮蔽蓋２６の反対面は、ツマミ２７と固定部材２８により第１経路２４と第２経路２５を通し、ツマミ２７の末端はねじ込み接続部２４１とねじ接続する。一方、固定部材２８の一端は遮蔽蓋２６に嵌めこみ、他端はツマミ２７にあてがうことにより、ツマミ２７をまわして掛け金具１０を締付けることができる。
【００１４】
該締付リング３２一端の外縁部に２つの嵌め込み部３２１を設け、他端に収容溝３２２を設ける。該嵌め込み部３２１と該収容溝３２２の間に固定溝３２３を形成する。２つの嵌め込み部３２１は台座３１上の２つの案内溝３１３に対応し、締付リング３２の嵌め込み部３２１を縦方向より該台座３１の案内溝３１３に嵌め込むことにより、締付リング３２は外部ブッシング１０に対して旋転されない。該収容溝３２２に該快速締付装置４０を取り付ける。該締付リング３２の一部を切断し縦方向に延ばした切欠き３２４を形成し、かつ該締付リング３２は弾性に締め付けと緩めができる。該快速締付装置４０は選択により該締付リング３２を締め付けることにより、外部ブッシング１０と内部ブッシング２０に固定と伸縮形態を形成し、外部ブッシング１０と内部ブッシング２０の追随移動を制限する。
【００１５】
該フック３０の一端は、摺動部材２０の摺動溝２１の反対端に枢設し、フック３０の他端はフック部３３を有し、該フック部３３は自転車フレームの上部パイプを掛ける。フック３０は第１経路２４と第２経路２５に合わせて、枢支孔３１と円弧孔３２をそれぞれ形成し、ツマミ２７は枢支孔３１を通し、固定部材２８は円弧孔３２を通すことにより、フック３０の枢動は固定部材２８に制限されるほか、フック３０と掛け金具１０と組み合わせて枢動が可能であり、物品を掛けることができる。
【００１６】
該フック装置４０は掛け金具１０の接続孔１４に取り付け、フック装置４０はベルト４１と、２つのフィンガー４２と、一つの締め付けリング４３とを含む。該ベルト４１は該掛け金具１０の接続孔１４を通り、ベルト４１の両端はさらに締め付けリング４３を通った後、そのうちいずれのフィンガー４２と結合する。フィンガー４２は自転車ハンドルの両側を掴み、締め付けリング４３はフィンガー４２に向かって、ベルト４１を引っ張ることにより、ベルト４１によってフィンガー４２を締め付けて固定する。
【００１７】
図５ないし８に、本考案による作動態様図と使用態様図を示す。図５において、自転車それぞれのフレームの上部パイプに合わせて、使用者は摺動部材２０のツマミ２７を緩めた後、摺動部材２０は掛け金具１０において最適な掛け位置を調節でき、かつ摺動部材２０は阻止部１１１によって制限されるため、掛け金具１０から離脱しない。摺動部材２０の掛け金具１０上での摺動は溝孔１０１の制限を受けないため、掛け金具１０の構造強度を向上できる。図６ないし７に示す通り、使用者は保持装置５０のツマミ５３を緩めることにより、掛け金具１０を自転車フレームの上部パイプと同じ角度に調節し、フック３０を自転車フレームの上部パイプに掛け、フック装置４０のフィンガー４２は自転車ハンドルの両側を掴み、自転車フレームの縦パイプを回転させないように固定する。図８に、本考案による掛け金具に自転車を掛けた態様図を示す。保持装置５０は棒体６０に締め付ける。
【符号の説明】
【００１８】
＜従来技術＞
１００     掛け金具
１０１     溝孔
１０２     フック
１０３     ボルト
１０４     保持装置
＜本考案＞
１０       掛け金具
１１       掛け部
１１１     阻止部
１３       枢着部
１３１     枢支孔
１３２     円弧孔
１４       接続孔
２０       摺動部材
２１       摺動溝
２１１     摺動部
２１２     延伸部
２２       収容溝
２３       枢動スペース
２３１     突き合わせ面
２３２     凹み溝
２４       第１経路
２４１     ねじ込み接続部
２５       第２経路
２６       遮蔽蓋
２７       ツマミ
２８       固定部材
３０       フック
３１       枢支孔
３２       円弧孔
３３       フック部
４０       フック装置
４１       ベルト
４２       フィンガー
４３       締め付けリング
５０       保持装置
５１       結合孔
５２       固定突起部
５３       ツマミ
６０       棒体
【図１】
0003149715.tif 000003
【図２】
0003149715.tif 000004
【図３】
0003149715.tif 000005
【図４】
0003149715.tif 000006
【図５】
0003149715.tif 000007
【図６】
0003149715.tif 000008
【図７】
0003149715.tif 000009
【図８】
0003149715.tif 000010
【図９】
0003149715.tif 000011
【図１０】
0003149715.tif 000012